(57)【要約】【課題】高い洗浄性を有すると共に、洗い残しが無く、被洗浄面に傷を付ける事が無く、かつ、高い耐久性、及び極めて高い洗浄性を有する洗車機用洗浄ブラシのブラシ片を提供する。【解決手段】自動車洗浄用あるいは車両洗浄用の洗車機に使用する洗浄ブラシのブラシ片において、前記洗浄ブラシのブラシ片は人工皮革にて形成されてあると共に、前記ブラシ片の表面に起毛部が形成されてあるものである。【選択図】      図２
2006305270.tif 000002
【特許請求の範囲】
【請求項１】
自動車洗浄用あるいは車両洗浄用の洗車機に使用する洗浄ブラシのブラシ片において、前記洗浄ブラシのブラシ片は人工皮革にて形成されてあると共に、前記ブラシ片の表面に起毛部が形成されてあることを特徴とする洗車機用洗浄ブラシのブラシ片。
【請求項２】
請求項１記載の構成よりなる洗車機用洗浄ブラシのブラシ片において、前記ブラシ片は前記起毛部に隣接して非起毛部が形成されてあることを特徴とする洗車機用洗浄ブラシのブラシ片。
【請求項３】
請求項１あるいは２記載の構成よりなる洗車機用洗浄ブラシのブラシ片において、前記ブラシ片の表面に複数の凹凸部が形成されてあることを特徴とする洗車機用洗浄ブラシのブラシ片。
【請求項４】
請求項１から３記載の構成よりなる洗車機用洗浄ブラシのブラシ片において、前記ブラシ片に撥水処理加工がされてあることを特徴とする洗車機用洗浄ブラシのブラシ片。
【請求項５】
請求項１から４記載の構成よりなる洗車機用洗浄ブラシのブラシ片において、前記ブラシ片にたいして異なる材質のブラシ片が互いに熱溶着、超音波溶着、高周波溶着、あるいは振動溶着により接合された接合部を介して一体的に形成されてあることを特徴とする洗車機用洗浄ブラシのブラシ片。
【請求項６】
請求項１から４記載の構成よりなる洗車機用洗浄ブラシのブラシ片において、前記ブラシ片にたいして異なる材質のブラシ片が互いに縫製により接合された接合部を介して一体的に形成されてあることを特徴とする洗車機用洗浄ブラシのブラシ片。
【発明の詳細な説明】
【技術分野】
【０００１】  本発明は、自動車あるいは車両の外面の被洗浄面に付着した汚れ等を洗浄する為の洗車機に使用する洗浄ブラシのブラシ片に関するものである。
【背景技術】
【０００２】  自動車あるいは車両の外面の被洗浄面に付着した汚れ等を洗浄する為の洗車機に使用する洗浄ブラシのブラシ片に関しては、使用目的に応じて、さまざまな改良がなされ、合成樹脂繊維、布、フィルム、合成樹脂発泡体等を使用したブラシ片からなる各種の洗浄ブラシが提案されてある。ところで、合成樹脂繊維は、洗浄性が良好で、洗い残しが少ないが、被洗浄面に傷を付けやすく、洗浄時の音が大きいという特徴を有している。布は、被洗浄面に柔らかく接触する為、被洗浄面に傷を付けにくいが、洗い残しが多く、高価格であるという特徴を有している。フィルムは、洗浄時の音が小さく、被洗浄面に傷を付けにくいが、毛腰が弱く、洗浄性が低いという特徴を有している。合成樹脂発泡体は、耐久性が良好で被洗浄面に傷を付けにくいが、洗浄時の音が大きいという特徴を有している。【０００３】  従来のブラシ片は、上記の如くの特徴を有しているが、合成樹脂繊維においては、例えば、ブラシ用毛材として、熱可塑性樹脂と熱可塑性エラストマーとを配合した樹脂組成物が、特開平１０−２５６１９号公報に開示されてある。前記ブラシ用毛材は、熱可塑性樹脂と熱可塑性エラストマーとを配合し、それを成型する事により、柔軟かつ弾性保持率の高いブラシ用毛材を実現しているという特徴を有している。【０００４】  また、布においては、例えば、車両洗浄装置の洗浄体として、長繊維不織布を使用した洗浄体が、特許第３０９８６３０号に開示されてある。前記洗浄体は、洗浄中に車両の塗装面を痛めることが無く、かつ破れ難いという特徴を有している。【０００５】  さらにまた、ブラシ片の材質においては、例えば、洗車機用洗浄ブラシのブラシ片として、不織布及び極微細な気泡を有する多孔質化されたポリウレタンよりなる二重構造体にて形成されてあるブラシ片が、特願２００４−２２０９３５号に開示されてある。前記二重構造体は、一般的には、人工皮革と呼ばれている。【０００６】
【特許文献１】  特開平１０−２５６１９号公報
【特許文献２】  特許第３０９８６３０号
【特許文献３】  特願２００４−２２０９３５号
【発明の開示】
【発明が解決しようとする課題】
【０００７】  従来の洗車機用洗浄ブラシのブラシ片は、例えば、上記の如くの各種の特徴を有する技術が開示されてあるが、合成樹脂繊維の長所である良好な洗浄性及び洗い残しの少なさを維持させつつ、短所である被洗浄面にたいする傷の付けやすさを改善することが求められていた。また、布の長所である被洗浄面にたいする傷の付けにくさを維持させつつ、短所である洗い残しの多さを改善することが求められていた。さらにまた、より高い洗浄性を有するブラシ片が求められていた。本発明は、上記のような課題を解決するためになされたもので、高い洗浄性を有すると共に、洗い残しが無く、被洗浄面に傷を付ける事が無く、かつ、高い耐久性、及び極めて高い洗浄性を有する洗車機用洗浄ブラシのブラシ片を提供することを目的としている。
【課題を解決するための手段】
【０００８】  本発明にかかる洗車機用洗浄ブラシのブラシ片は、次のように構成したものである。
（１）自動車洗浄用あるいは車両洗浄用の洗車機に使用する洗浄ブラシのブラシ片において、前記洗浄ブラシのブラシ片は人工皮革にて形成されてあると共に、前記ブラシ片の表面に起毛部が形成されてあるものである。【０００９】  （２）上記（１）記載の洗車機用洗浄ブラシのブラシ片において、前記ブラシ片は前記起毛部に隣接して非起毛部が形成されてあるものである。【００１０】  （３）上記（１）あるいは（２）記載の洗車機用洗浄ブラシのブラシ片において、前記ブラシ片の表面に複数の凹凸部が形成されてあるものである。【００１１】  （４）上記（１）から（３）記載の洗車機用洗浄ブラシのブラシ片において、前記ブラシ片に撥水処理加工がされてあるものである。【００１２】  （５）上記（１）から（４）記載の洗車機用洗浄ブラシのブラシ片において、前記ブラシ片にたいして異なる材質のブラシ片が互いに熱溶着、超音波溶着、高周波溶着、あるいは振動溶着により接合された接合部を介して一体的に形成されてあるものである。【００１３】（６）上記（１）から（４）記載の洗車機用洗浄ブラシのブラシ片において、前記ブラシ片にたいして異なる材質のブラシ片が互いに縫製により接合された接合部を介して一体的に形成されてあるものである。
【発明の効果】
【００１４】  本発明の洗車機用洗浄ブラシのブラシ片は、次に示すような効果を得ることができる。なお、説明にあたっては、請求項の番号と同じ番号を付して説明する。【００１５】  （１）ブラシ片には、不織布、及び極微細な気泡を有する多孔質化されたポリウレタンの基部からなる二重構造体が形成されてある。ポリウレタンの基部は、高い耐摩耗性を有している為、耐久性の優れたブラシ片を、製造することができる。また、基部は、極微細な気泡を有している為、ブラシ片の重量を軽くすることができると共に、ブラシ片に加えられた衝撃を、吸収することができる。また、ブラシ片は、不織布、及び基部よりなる二重構造体にて形成されてあり、不織布と基部の間には、空隙部が形成されてあると共に、基部は、極微細な気泡を有する多孔質化されたポリウレタンにて形成されてある為、ブラシ片を、被洗浄面にたいして、柔軟に接触させることができ、高い洗浄力を有することができる。また、基部は、多孔質化されたポリウレタンから形成されてある為、被洗浄面に傷を付ける事が無い。さらにまた、ブラシ片は、表面に起毛部が形成されてある為、起毛部が形成されてない構成のブラシ片を使用した場合に比べて、被洗浄面にたいして、起毛部を接触させる事ができる為、より強い摩擦力を発生させる事ができる。その為、ブラシ片は、極めて高い洗浄性を有することができると共に、被洗浄面を磨き上げる事ができる。【００１６】  （２）ブラシ片には、表面に起毛部が形成されてあると共に、起毛部に隣接して非起毛部が形成されてある。起毛部は、非起毛部に比べて、より強い摩擦力を発生させる事ができる為、被洗浄面の汚れ等を強力に掻き出す事ができる。また、非起毛部は、起毛部に比べて、より平滑な表面を形成している為、非起毛部の表面に付着、あるいは浮遊した汚れ等を迅速に除去する事ができる。その為、ブラシ片は、被洗浄面の汚れ等を強力に掻き出す事ができると共に、ブラシ片の表面に付着、あるいは浮遊した汚れ等を迅速に除去する事ができる。【００１７】  （３）ブラシ片は、表面に、複数の凹部、及び凸部が形成されてあると共に、起毛部は、凸部の上部に起毛部が形成されてあり、凹部に非起毛部が形成されてある。その為、ブラシ片は、起毛部にて、被洗浄面の汚れ等を強力に掻き出す事ができる。また、非起毛部にて、洗浄水等の水分を一時的に保持する事ができる為、ブラシ片から水分が離脱する事を遅延させる事ができる。その為、ブラシ片は、高い洗浄性を有する事ができる。また、ブラシ片は、少ない洗浄水等にて洗浄した場合においても、乾燥を防止する事ができる為、ブラシ片の劣化、亀裂の発生等を防止できる。その為、極めて高い耐久性を有する事ができる。【００１８】  （４）ブラシ片は、撥水処理加工がされてある。その為、ブラシ片は、洗浄水等の水分が付着、あるいは保持される事が無い為、洗浄時においては、洗浄水等の水分が付着、あるいは保持される事によるブラシ片の重量増加を無くする事ができる。その為、ブラシ片は、洗浄ブラシを、低トルクで回転使用した場合であっても、高い洗浄性、及び高い耐久性を有する事ができる。【００１９】  （５）ブラシ片は、平板状に形成された合成樹脂発泡体からなるブラシ片、及び人工皮革からなるブラシ片が、互いに、接合部を介して、溶着により接合されて一体的に形成されてある。その為、材質の異なる２種類のブラシ片を、強力に接合する事ができる。また、合成樹脂発泡体は、人工皮革に比べて安価、かつ軽量なブラシ片を製造する事ができるという特徴を有している為、ブラシ片は、前記（１）から（４）記載のブラシ片の如く、人工皮革のみの構成のブラシ片に比べて、安価、かつ軽量にする事ができる。また、ブラシ片は、被洗浄面にたいして、合成樹脂発泡体、及び人工皮革の２種類の材質のブラシ片を接触させる事ができる為、使用目的に応じて、最適な洗浄性、耐久性を有する事ができる。また、低価格なブラシ片を製造する事ができる。【００２０】  （６）ブラシ片は、平板状に形成された合成樹脂発泡体からなるブラシ片、及び人工皮革からなるブラシ片が、互いに、接合部を介して、縫製により接合されて一体的に形成されてある。その為、材質の異なる２種類のブラシ片を、強力に接合する事ができる。また、合成樹脂発泡体は、人工皮革に比べて安価、かつ軽量なブラシ片を製造する事ができるという特徴を有している為、ブラシ片は、前記実施例１から実施例４記載のブラシ片の如く、人工皮革のみの構成のブラシ片に比べて、安価、かつ軽量にする事ができる。また、ブラシ片は、被洗浄面にたいして、合成樹脂発泡体、及び人工皮革の２種類の材質のブラシ片を接触させる事ができる為、使用目的に応じて、最適な洗浄性、耐久性を有する事ができる。また、低価格なブラシ片を製造する事ができる。
【発明を実施するための最良の形態】
【００２１】  高い洗浄性を有すると共に、洗い残しが無く、被洗浄面に傷を付ける事が無く、かつ、高い耐久性、及び極めて高い洗浄性を有する洗車機用洗浄ブラシのブラシ片を提供するという目的を、自動車洗浄用あるいは車両洗浄用の洗車機に使用する洗浄ブラシのブラシ片において、前記洗浄ブラシのブラシ片は人工皮革にて形成されてあると共に、前記ブラシ片の表面に起毛部が形成されてある構成において実現した。
【実施例１】
【００２２】  図１から図４にて実施例１を示す。図１は、本発明の洗車機用洗浄ブラシのブラシ片を使用した洗車機用洗浄ブラシを前面側から見た斜視図である。図１において、１は洗車機用洗浄ブラシ、２は台座、３はチャンネルブラシ、４は止め金具、５はブラシ片である。図２は、図１に使用するブラシ片を前面側から見た斜視図である。図２において、２３はスリット、５１は起毛部である。図３は、図２の部分拡大図である。図３において、６は繊維、７は不織布、８は空隙部、９は基部、１０は気泡である。図４は、本発明のブラシ片を使用した他の実施の形態の洗車機用洗浄ブラシを、前面側から見た斜視図である。図４において、１１は洗車機用洗浄ブラシ、１２は台座、１４は止め金具、２６は溝部である。【００２３】  洗車機用洗浄ブラシ１は、図１の如く、台座２、チャンネルブラシ３、及び止め金具４より構成されてある。台座２は、略円筒形状からなり、外周の両端部には、止め金具４が組みつけられて形成されてある。チャンネルブラシ３は、ブラシ片５を、芯線、及び概Ｕ字断面を有する帯状体にて挟みつけて折り込んだ後、台座２の外周の周りに捩りを加えて螺旋状に形成されてあり、止め金具４にて固定されてある。【００２４】  ブラシ片５は、図２の如く、平板状に形成されてあり、複数のスリット２３が形成されてあると共にブラシ片５の表面には起毛部５１が形成されてある。また、ブラシ片５は、図３の如く、不織布７、及び基部９よりなる二重構造体にて形成されてあり、不織布７と基部９の間には、空隙部８が形成されてある。不織布７は、複数本の繊維６から形成されてあり、材質には、ポリエステルが使用されてある。また、基部９は、極微細な気泡１０を有する多孔質化された構造体にて形成されてあり、材質には、ポリウレタンが使用されてある。上記の如くの二重構造体は、一般的に、人工皮革と呼ばれている。また、起毛部５１は、不織布７を構成する複数本の繊維６が突出する事により形成されてある。【００２５】  ブラシ片５は、次の手順にて製造される。まず、複数本の繊維６を、平板状に集積させて布状体を形成し、前記布状体を複数枚、重ね合わせた後、特殊な針を突き刺して、３次元に絡合された不織布７を形成する。前記の製造方法は、一般的には、ニードルパンチングと呼ばれている。次に、不織布７を、ポリウレタン溶液中に含浸させる事により、不織布７に、ポリウレタン溶液を充填させる。次に、ポリウレタン溶液を充填させた不織布７を、水中に、浸漬させることにより、不織布７、及び極微細な気泡１０を有する多孔質化されたポリウレタンの基部９からなる二重構造体が形成される。この時、ブラシ片５の表面には、不織布７を構成する複数本の繊維６が突出する事により形成された起毛部５１が形成される。【００２６】  次に、ブラシ片５の表面に形成された起毛部５１の動摩擦係数を試験にて測定した。試験片として使用したブラシ片５は、基部９の高さは１ミリ、縦横は各２５ミリであり、材質には、繊度０．２デニールのポリエステルの不織布を使用した。表面には、高さ２ミリの起毛部が形成されてあり、裏面は、目止め加工により、起毛部は形成されて無い。次に前記試験片の重量１００％にたいして、重量比１２０��になるように、水分を湿潤させた後、カトーテック株式会社製の風合い試験機ＫＥＳ・ＦＢシステムを使用して、摩擦係数を測定した。その結果、起毛部が形成されてある面の動摩擦係数は０．３０３であり、起毛部が形成されて無い面の動摩擦係数は０．２１７であった。【００２７】  実施例１の洗車機用洗浄ブラシ１に使用されてあるブラシ片５は、上記の如くの構成となっているので、ブラシ片５には、不織布７、及び極微細な気泡１０を有する多孔質化されたポリウレタンの基部９からなる二重構造体が形成されてある。ポリウレタンの基部９は、高い耐摩耗性を有している為、耐久性の優れたブラシ片５を、製造することができる。また、基部９は、極微細な気泡１０を有している為、ブラシ片５の重量を軽くすることができると共に、ブラシ片５に加えられた衝撃を、吸収することができる。また、ブラシ片５は、不織布７、及び基部９よりなる二重構造体にて形成されてあり、不織布７と基部９の間には、空隙部８が形成されてあると共に、基部９は、極微細な気泡１０を有する多孔質化されたポリウレタンにて形成されてある為、ブラシ片５を、被洗浄面にたいして、柔軟に接触させることができ、高い洗浄力を有することができる。また、基部９は、多孔質化されたポリウレタンから形成されてある為、被洗浄面に傷を付ける事が無い。さらにまた、ブラシ片５は、表面に起毛部５１が形成されてある為、起毛部５１が形成されてない構成のブラシ片を使用した場合に比べて、被洗浄面にたいして、起毛部５１を接触させる事ができる為、より強い摩擦力を発生させる事ができる。その為、ブラシ片５は、極めて高い洗浄性を有することができると共に、被洗浄面を磨き上げる事ができる。【００２８】  実施例１の洗車機用洗浄ブラシ１に使用されてあるブラシ片５は、上記の如くの構成となっているが、ブラシ片５の構造、材質については、上記記載の構造以外にも、人工皮革であるならば、他の構造、材質を採用できる。また、ブラシ片５の詳細形状についても、上記の如く、スリット２３が形成されてある形状以外にも、例えば、スリット２３が形成されてない形状を採用する等、使用目的に応じて、適時、設定できる。【００２９】  次に、図４にて、本発明のブラシ片を使用した他の実施の形態の洗車機用洗浄ブラシを説明する。他の実施の形態の洗車機用洗浄ブラシ１１は、図４の如く、台座１２の溝部２６にたいして、ブラシ片５が、止め金具１４にて組付けられて固定されてある。
【実施例２】
【００３０】  図５にて実施例２を示す。図５は、本発明の洗車機用洗浄ブラシのブラシ片を前面側から見た斜視図である。図５において、１５はブラシ片、６１は起毛部、６２は非起毛部である。【００３１】  ブラシ片１５は、図５の如く、平板状に形成されてあり、人工皮革にて形成されてあると共に、表面には起毛部６１が形成されてある。また、起毛部６１に隣接して非起毛部６２が形成されてある。非起毛部６２は、起毛部６１にたいして、溶剤目止め加工と呼ばれる処理を施す事により、起毛部６１を構成する不織布の繊維が消滅する事により形成される。【００３２】  実施例２のブラシ片１５は、上記の如くの構成となっているので、ブラシ片１５には、表面に起毛部６１が形成されてあると共に、起毛部６１に隣接して非起毛部６２が形成されてある。起毛部６１は、非起毛部６２に比べて、より強い摩擦力を発生させる事ができる為、被洗浄面の汚れ等を強力に掻き出す事ができる。また、非起毛部６２は、起毛部６１に比べて、より平滑な表面を形成している為、非起毛部６２の表面に付着、あるいは浮遊した汚れ等を迅速に除去する事ができる。その為、ブラシ片１５は、被洗浄面の汚れ等を強力に掻き出す事ができると共に、ブラシ片１５の表面に付着、あるいは浮遊した汚れ等を迅速に除去する事ができる。【００３３】  実施例２のブラシ片１５は、上記の如くの構成となっているが、起毛部６１、及び非起毛部６２の形成状態については、上記の如くの形成状態以外にも、例えば、概円形状の起毛部６１の外周に非起毛部６２が隣接するような、概海島構造の如くの形成状態も採用できる。
【実施例３】
【００３４】  図６にて実施例３を示す。図６は、本発明の洗車機用洗浄ブラシのブラシ片を前面側から見た斜視図である。図６において、２５はブラシ片、５３は凹部、５４は凸部、７１は起毛部、７２は非起毛部である。図７は、図６のブラシ片の断面図である。図７において２９は基部である。【００３５】  ブラシ片２５は、図６の如く、平板状に形成されてあり、人工皮革にて形成されてあると共に、基部２９の表面には複数の凹部５３、及び凸部５４が形成されてある。また、起毛部７１、及び非起毛部７２が形成されてある。起毛部７１は、図７の如く、凸部５４の上部に形成されてあり、非起毛部７２は、凹部５３に形成されてある。【００３６】  実施例３のブラシ片２５は、上記の如くの構成となっているので、ブラシ片２５は、表面に、複数の凹部５３、及び凸部５４が形成されてあると共に、起毛部７１は、凸部５４の上部に起毛部７１が形成されてあり、凹部５３に非起毛部７２が形成されてある。その為、ブラシ片２５は、起毛部７１にて、被洗浄面の汚れ等を強力に掻き出す事ができる。また、非起毛部７２にて、洗浄水等の水分を一時的に保持する事ができる為、ブラシ片２５から水分が離脱する事を遅延させる事ができる。その為、ブラシ片２５は、高い洗浄性を有する事ができる。また、ブラシ片２５は、少ない洗浄水等にて洗浄した場合においても、乾燥を防止する事ができる為、ブラシ片２５の劣化、亀裂の発生等を防止できる。その為、極めて高い耐久性を有する事ができる。
【実施例４】
【００３７】  図８にて実施例４を示す。図８は、本発明の洗車機用洗浄ブラシのブラシ片を前面側から見た斜視図である。図８において、３３はスリット、３５はブラシ片、８１は起毛部である。【００３８】  ブラシ片３５は、図８の如く、平板状に形成されてあり、複数のスリット３３が形成されてあると共にブラシ片３５の表面には起毛部８１が形成されてある。また、ブラシ片３５は、撥水処理加工がされてある。【００３９】  撥水処理加工の加工方法としては、撥水処理剤にブラシ片３５を浸漬させてコーティングする方法、あるいは、撥水処理剤をブラシ片３５に吹付けてコーティングさせる方法が採用される。【００４０】  実施例４のブラシ片３５は、上記の如くの構成となっているので、ブラシ片３５は、撥水処理加工がされてある。その為、ブラシ片３５は、洗浄水等の水分が付着、あるいは保持される事が無い為、洗浄時においては、洗浄水等の水分が付着、あるいは保持される事によるブラシ片３５の重量増加を無くする事ができる。その為、ブラシ片３５は、洗浄ブラシを、低トルクで回転使用した場合であっても、高い洗浄性、及び高い耐久性を有する事ができる。
【実施例５】
【００４１】  図９から図１１にて実施例５を示す。図９は、本発明の洗車機用洗浄ブラシのブラシ片を前面側から見た斜視図である。図９において、１８は接合部、４５、５５、６５はブラシ片、６３は凹部、９１は起毛部である。図１０は、図９の接合部の拡大断面図である。図１１は、図９のブラシ片を使用した洗車機用洗浄ブラシを、前面側から見た斜視図である。図１１において、２１は洗車機用洗浄ブラシ、２２は台座、２４は止め金具、３６は溝部である。【００４２】  ブラシ片４５は、図９の如く、平板状に形成されたブラシ片５５、及びブラシ片６５により形成されてあると共に、ブラシ片５５、及びブラシ片６５は、互いに接合部１８を介して、一体的に形成されてある。ブラシ片６５の材質は、人工皮革が使用されてあり、ブラシ片５５の材質は、合成樹脂発泡体が使用されてある。また、ブラシ片６５の表面には、起毛部９１が形成されてある。また、接合部１８は、溶着により接合されてあり、図９、及び図１０の如く、ブラシ片６５の上面には、概円柱形状の凹部６３が形成されてある。また、接合部１８とは、ブラシ片５５、及びブラシ片６５が、溶着する事により接合された部分を示す。【００４３】  溶着方法としては、熱溶着、超音波溶着、高周波溶着、あるいは振動溶着による方法が採用されてある。また、溶着とは、一般的には、溶接、あるいは高温で加熱して接着させる事である。また、溶着は、融着、熱接着、ヒートシールと呼ばれる事もある。【００４４】  次に、ブラシ片４５を使用した洗車機用洗浄ブラシ２１を説明する。洗車機用洗浄ブラシ２１は、図１１の如く、台座２２、止め金具２４、及びブラシ片４５より構成されてある。台座２２は、略円筒形状からなり、外周部には、溝部３６が形成されてあり、ブラシ片４５が、溝部３６の内部に嵌合された止め金具２４にて、ブラシ片４５の長手方向の中央部にて、挟み込まれる事により、着脱可能に、組みつけられて形成されてある。【００４５】  実施例５のブラシ片４５は、上記の如くの構成となっているので、ブラシ片４５は、平板状に形成された合成樹脂発泡体からなるブラシ片５５、及び人工皮革からなるブラシ片６５が、互いに、接合部１８を介して、溶着により接合されて一体的に形成されてある。その為、材質の異なる２種類のブラシ片を、強力に接合する事ができる。また、合成樹脂発泡体は、人工皮革に比べて安価、かつ軽量なブラシ片を製造する事ができるという特徴を有している為、ブラシ片４５は、前記実施例１から実施例４記載のブラシ片の如く、人工皮革のみの構成のブラシ片に比べて、安価、かつ軽量にする事ができる。また、ブラシ片４５は、被洗浄面にたいして、合成樹脂発泡体、及び人工皮革の２種類の材質のブラシ片を接触させる事ができる為、使用目的に応じて、最適な洗浄性、耐久性を有する事ができる。また、低価格なブラシ片４５を製造する事ができる。【００４６】  実施例５のブラシ片４５は、上記の如くの構成となっているが、ブラシ片４５を構成するブラシ片５５の材質は、上記の合成樹脂発泡体以外にも、合成樹脂繊維、布、フィルム等の材質を、使用目的に応じて使用する事ができる。
【実施例６】
【００４７】  図１２にて実施例６を示す。図１２は、本発明の洗車機用洗浄ブラシのブラシ片を前面側から見た斜視図である。図９において、２８は接合部、５５、６５、７５はブラシ片、９１は起毛部である。【００４８】  ブラシ片７５は、図１２の如く、平板状に形成されたブラシ片５５、及びブラシ片６５により形成されてあると共に、ブラシ片５５、及びブラシ片６５は、互いに接合部２８を介して、一体的に形成されてある。ブラシ片６５の材質は、人工皮革が使用されてあり、ブラシ片５５の材質は、合成樹脂発泡体が使用されてある。また、ブラシ片６５の表面には、起毛部９１が形成されてある。また、接合部２８は、縫製により接合されてある。【００４９】  縫製方法としては、ブラシ片５５、及びブラシ片６５を、互いに接合可能な方法であるならば、例えば、直線縫い、曲線縫い、円形縫いの他、割縫い、インターロック、ダブルステッチ、巻き縫い、チェーンステッチ、バータック等、いかなる方法も採用できる。縫製に使用する材料としては、各種糸の他、各種フィルム、各種布等、縫製可能な材料であるならば、いかなる材料の採用できる。【００５０】  実施例６のブラシ片７５は、上記の如くの構成となっているので、ブラシ片７５は、平板状に形成された合成樹脂発泡体からなるブラシ片５５、及び人工皮革からなるブラシ片６５が、互いに、接合部２８を介して、縫製により接合されて一体的に形成されてある。その為、材質の異なる２種類のブラシ片を、強力に接合する事ができる。また、合成樹脂発泡体は、人工皮革に比べて安価、かつ軽量なブラシ片を製造する事ができるという特徴を有している為、ブラシ片７５は、前記実施例１から実施例４記載のブラシ片の如く、人工皮革のみの構成のブラシ片に比べて、安価、かつ軽量にする事ができる。また、ブラシ片７５は、被洗浄面にたいして、合成樹脂発泡体、及び人工皮革の２種類の材質のブラシ片を接触させる事ができる為、使用目的に応じて、最適な洗浄性、耐久性を有する事ができる。また、低価格なブラシ片７５を製造する事ができる。
【産業上の利用可能性】
【００５１】  本発明の洗車機用洗浄ブラシのブラシ片は、主に、自動車あるいは車両の外面の被洗浄面に付着した汚れ等を洗浄する為の洗車機に搭載する洗浄ブラシのブラシ片として使用する。
【図面の簡単な説明】
【００５２】
【図１】  本発明の洗車機用洗浄ブラシのブラシ片を使用した洗車機用洗浄ブラシを前面側から見た斜視図である。
【図２】  図１に使用するブラシ片を前面側から見た斜視図である。
【図３】  図２の部分拡大図である。
【図４】  本発明のブラシ片を使用した他の実施の形態の洗車機用洗浄ブラシを、前面側から見た斜視図である。
【図５】  本発明の洗車機用洗浄ブラシのブラシ片を前面側から見た斜視図である。
【図６】  本発明の洗車機用洗浄ブラシのブラシ片を前面側から見た斜視図である。
【図７】  図６のブラシ片の断面図である。
【図８】  本発明の洗車機用洗浄ブラシのブラシ片を前面側から見た斜視図である。
【図９】  本発明の洗車機用洗浄ブラシのブラシ片を前面側から見た斜視図である。
【図１０】  図９の接合部の拡大断面図である。
【図１１】  図９のブラシ片を使用した洗車機用洗浄ブラシを、前面側から見た斜視図である。
【図１２】  本発明の洗車機用洗浄ブラシのブラシ片を前面側から見た斜視図である。
【符号の説明】
【００５３】１、１１、２１  洗車機用洗浄ブラシ  ２、１２、２２  台座
３  チャンネルブラシ  ４、１４、２４  止め金具
５、１５、２５、３５、４５、５５、６５、７５  ブラシ片
６  繊維  ７  不織布  ８  空隙部  ９、２９  基部  １０  気泡  １８  接合部
２３、３３  スリット  ２６、３６  溝部  ５１、６１、７１、８１、９１  起毛部
５３、６３  凹部  ５４  凸部  ６２、７２  非起毛部
【図１】
2006305270.tif 000003
【図２】
2006305270.tif 000004
【図３】
2006305270.tif 000005
【図４】
2006305270.tif 000006
【図５】
2006305270.tif 000007
【図６】
2006305270.tif 000008
【図７】
2006305270.tif 000009
【図８】
2006305270.tif 000010
【図９】
2006305270.tif 000011
【図１０】
2006305270.tif 000012
【図１１】
2006305270.tif 000013
【図１２】
2006305270.tif 000014